(57)【要約】無線ネットワークでは、移動局（２１０）はサービング基地局（２２０）とのサービング無線リンクの状態にある。移動局（２１０）がターゲット基地局（２３０）とのターゲット無線リンクを確立できるようにハンドオーバが望まれる。ハンドオーバ処理を開始する場合に、近々のハンドオーバについてサービング基地局（２２０）はターゲット基地局（２３０）に警告する。ターゲット基地局（２３０）は無線リソースを割り当てて、警告応答メッセージにピギーバックして、無線リソース集合に関する情報をサービング基地局（２２０）に提供する。サービング基地局（２２０）は、ハンドオーバ要求又は応答メッセージのどちらかにピギーバックして、無線リソース集合を移動局（２１０）へ中継する。移動局（２１０）はサービング基地局（２２０）とのサービング無線リンクを切断し、無線リソース集合を使用してターゲット無線リンクを確立する。
2011501611.tif 000002
【特許請求の範囲】
【請求項１】
無線ネットワーク（２００）においてハンドオーバ処理を実行する方法（３００Ａ、３００Ｂ）であって、
（ａ）移動局（２１０）とターゲット基地局（２３０）との間のターゲット無線リンクを確立するために移動局（２１０）により使用される無線リソース集合を割り当てる工程（３１０Ａ、３１０Ｂ）と、
（ｂ）前記無線局（２１０）とサービング基地局（２２０）との間のサービング無線リンクを切断する工程（３２０Ａ、３２０Ｂ）と、
（ｃ）前記無線リソース集合を使用して前記移動局（２１０）と前記ターゲット基地局（２３０）との間の前記ターゲット無線リンクを確立する工程（３３０Ａ、３３０Ｂ）と
を有し、
前記無線リソース集合に関する情報は、前記移動局（２１０）が前記ハンドオーバ処理を開始する場合にはハンドオーバ応答メッセージにピギーバックされ、前記サービング基地局（２２０）が前記ハンドオーバ処理を開始する場合にはハンドオーバ要求メッセージにピギーバックされて、前記サービング基地局（２２０）から前記移動局（２１０）へ提供されることを特徴とする方法（３００Ａ、３００Ｂ）。
【請求項２】
前記工程（ｂ）で割り当てられる前記無線リソース集合は、前記無線端末（２１０）のために予約された非競合の上りリンク無線リソース集合であることを特徴とする請求項１に記載の方法（３００Ａ、３００Ｂ）。
【請求項３】
前記非競合の上りリンク無線リソース集合は、上りリンク・アクセスの間に前記移動局（２１０）により使用されるフレーム番号インデックスｎ、ｎ＋１、ＵＩＵＣ、レンジング・コード、レンジング・サブチャネル、ＵＬ開始送信タイミング、シンボル・オフセット、ＭＡＣヘッダ内のＣＩＤフィールド、ＨＯ＿ＩＤ及びキャリア周波数のうちの一つ以上を含むことを特徴とする請求項２に記載の方法（３００Ａ、３００Ｂ）。
【請求項４】
前記工程（ａ）は、
（ａ．ａ）警告メッセージにおいて、実行される予定の前記ハンドオーバに関して前記ターゲット基地局（２３０）に警告する工程（４１０Ａ、４１０Ｂ）と、
（ａ．ｂ）前記警告メッセージへの応答として前記ターゲット基地局（２３０）のために前記無線リソース集合を割り当てる工程（４２０Ａ、４２０Ｂ）と、
（ａ．ｃ）前記サービング基地局（２２０）への警告応答メッセージにピギーバックされた、前記割り当てられた無線リソース集合に関する情報を前記サービング基地局（２２０）へ提供する工程（４３０Ａ、４３０Ｂ）と、
（ａ．ｄ）前記移動局（２１０）が前記ハンドオーバ処理を開始する場合に前記ハンドオーバ応答メッセージにピギーバックされ、前記サービング基地局（２２０）が前記ハンドオーバ処理を開始する場合に前記ハンドオーバ要求メッセージにピギーバックされた前記無線リソース集合情報を前記サービング基地局（２２０）から前記移動局（２１０）へ中継する工程（４４０Ａ、４４０Ｂ）と
を含むことを特徴とする請求項１に記載の方法（３００Ａ、３００Ｂ）。
【請求項５】
前記無線リソース集合は、前記移動局（２１０）が前記ターゲット基地局（２３０）とのレンジング処理を実行するための非競合の機会を規定する情報を含むことを特徴とする請求項４に記載の方法（３００Ａ、３００Ｂ）。
【請求項６】
前記ターゲット基地局（２３０）は複数の候補のターゲット基地局から選択され、
前記工程（ａ．ａ）、前記工程（ａ．ｂ）、前記工程（ａ．ｃ）及び前記工程（ａ．ｄ）は候補のターゲット基地局のそれぞれについて実行される
ことを特徴とする請求項４に記載の方法（３００Ａ、３００Ｂ）。
【請求項７】
前記工程（ａ）は、
（ａ．ｅ）ネットワーク・バックボーン（２４０）を介して前記サービング基地局（２２０）から前記ターゲット基地局（２３０）へＨＯ事前通知ＲＥＱ／ＨＯ−ＲＥＱメッセージを送信する工程（５２０Ａ、５２０Ｂ）と、
（ａ．ｆ）前記ネットワーク・バックボーン（２４０）を介して前記ターゲット基地局（２３０）から前記サービング基地局（２２０）へＨＯ事前通知ＲＥＳ／ＨＯ−ＲＥＳメッセージを送信する工程（５３０Ａ、５３０Ｂ）と、
（ａ．ｇ）前記サービング無線リンクを介して前記サービング基地局（２２０）へＭＯＢ＿ＭＳＨＯ−ＲＥＱメッセージを送信する（５１０Ａ、５１０Ｂ）ことによって前記移動局（２１０）が前記ハンドオーバを開始する場合に、前記サービング基地局（２２０）から前記移動局（２１０）へＭＯＢ＿ＢＳＨＯ−ＲＥＳメッセージを送信する工程（５４０Ａ、５４０Ｂ）と、
（ａ．ｈ）前記サービング基地局（２２０）が前記ハンドオーバを開始する場合に、前記サービング無線リンクを介して前記サービング基地局（２２０）から前記移動局（２１０）へＭＯＢ＿ＢＳＨＯ−ＲＥＱメッセージを送信する工程（５５０Ａ、５５０Ｂ）と
を含み、
前記工程（ａ．ｆ）において、前記無線リソース集合情報は前記ＨＯ事前通知ＲＥＳ／ＨＯ−ＲＥＳメッセージにピギーバックされ、前記無線リソース情報は前記移動局（２１０）が前記ターゲット基地局（２３０）とのレンジング処理を実行する非競合の機会を含み、
前記工程（ａ．ｇ）において、前記無線リソース集合情報は前記ＭＯＢ＿ＢＳＨＯ−ＲＥＳメッセージにピギーバックされ、
前記工程（ａ．ｈ）において、前記無線リソース集合情報は前記ＭＯＢ＿ＢＳＨＯ−ＲＥＱメッセージにピギーバックされる
ことを特徴とする請求項１に記載の方法（３００Ａ、３００Ｂ）。
【請求項８】
前記工程（ｃ）は、
（ｃ．ａ）前記ターゲット基地局（２３０）によりリッスンされる無線インタフェースを介して前記無線リソース集合を用いて前記移動局（２１０）から前記ターゲット基地局（２３０）へレンジング要求メッセージを送信する（６１０Ａ、６１０Ｂ）工程と、
（ｃ．ｂ）前記無線インタフェースを介して前記ターゲット基地局（２３０）から前記移動局（２１０）へ、前記移動局（２１０）のための送信プロファイルを含むレンジング応答メッセージを送信する工程（６２０Ａ、６２０Ｂ）と、
（ｃ．ｃ）前記送信プロファイルに基づいて前記移動局（２１０）の送信パラメータを調整する工程（６３０Ａ、６３０Ｂ）と、
（ｃ．ｄ）前記調整された送信パラメータに基づいて前記移動局（２１０）と前記ターゲット基地局（２３０）との間のデータを交換する工程（６４０Ａ、６４０Ｂ）と
を含むことを特徴とする請求項１に記載の方法（３００Ａ、３００Ｂ）。
【請求項９】
複数のターゲット基地局（２３０）への前記ハンドオーバが実行され、
前記ターゲット基地局（２３０）は前記複数のターゲット基地局（２３０）のアンカー・ターゲット基地局（２３０−１）であり、
前記方法は、前記複数のターゲット基地局（２３０）が前記工程（ｃ．ｄ）において前記移動局（２３０）とデータを交換できるように、前記アンカー・ターゲット基地局（２３０−１）によって他のターゲット基地局（２３０）に通知する工程（６２５Ｂ）をさらに有する
ことを特徴とする請求項１に記載の方法（３００Ｂ）。
【請求項１０】
無線ネットワーク（２００）においてハンドオーバを実行する方法（７００Ａ、７００Ｂ）であって、
（ａ）警告メッセージにおいて、実行される予定の前記ハンドオーバに関してターゲット基地局（２３０）に警告する工程（７１０Ａ、７１０Ｂ）と、
（ｂ）前記ターゲット基地局（２３０）に対応する無線リソース集合に関する情報を前記ターゲット基地局（２３０）から受信する工程（７２０Ａ、７２０Ｂ）であって、前記無線リソース集合は前記ターゲット基地局（２３０）とのターゲット無線リンクを確立するために移動局（２１０）により使用され、前記無線リソース集合情報は前記ターゲット基地局（２３０）からの警告応答メッセージにピギーバックされて受信される、工程（７２０Ａ、７２０Ｂ）と、
（ｃ）前記移動局（２１０）が前記ハンドオーバ処理を開始する場合にハンドオーバ応答メッセージにピギーバックされ、サービング基地局（２２０）が前記ハンドオーバ処理を開始する場合にハンドオーバ要求メッセージにピギーバックされた前記無線リソース集合情報をサービング無線リンクを介して前記移動局（２１０）へ中継する工程（７３０Ａ、７３０Ｂ）と、
（ｄ）前記無線集合情報を中継した後に前記サービング無線リンクを切断する工程（７４０Ａ、７４０Ｂ）と
を有することを特徴とする方法（７００Ａ、７００Ｂ）。
【請求項１１】
前記ターゲット基地局（２３０）は複数の候補のターゲット基地局から選択され、
前記工程（ａ）、前記工程（ｂ）及び前記工程（ｃ）は候補のターゲット基地局のそれぞれに対して実行される
ことを特徴とする請求項１０に記載の方法（７００Ａ、７００Ｂ）。
【請求項１２】
前記サービング基地局（２２０）は複数のサービング基地局（２２０）のアンカー・サービング基地局（２２０−１）であり、
前記サービング無線リンクは前記移動局（２１０）と前記複数のサービング基地局（２２０）との間の共通サービング無線リンクであり、
前記方法（７００Ｂ）は、前記工程（ｄ）において前記共通サービング無線リンクが複数のサービング基地局（２２０）のすべてに対して切断されるように、その他のサービング基地局（２２０）に通知する工程（７４５Ｂ）をさらに有する
ことを特徴とする請求項１０に記載の方法（７００Ｂ）。
【請求項１３】
前記工程（ａ）は、ネットワーク・バックボーン（２４０）を介して前記ターゲット基地局（２３０）へＨＯ事前通知ＲＥＱ／ＨＯ−ＲＥＱを送信する工程（５２０Ａ、５２０Ｂ）を含み、
前記工程（ｂ）は、前記ネットワーク・バックボーン（２４０）を介して前記ターゲット基地局（２３０）からＨＯ事前通知ＲＥＳ／ＨＯ−ＲＥＳメッセージを受信する工程（５３０Ａ、５３０Ｂ）を含み、
前記無線リソース集合情報は前記ＨＯ事前通知ＲＥＳ／ＨＯ−ＲＥＳメッセージにピギーバックされ、
前記無線リソース集合は、前記移動局（２１０）が前記ターゲット基地局（２３０）へＲＮＧ−ＲＥＱメッセージを送信するための非競合の上りリンク・アクセス時間スロットを含み、
前記工程（ｃ）は、
前記工程（ａ）の前に前記移動局（２１０）からＭＯＢ＿ＭＳＨＯ−ＲＥＱメッセージを受信する（５１０Ａ、５１０Ｂ）とともに、前記工程（ｂ）の後に前記サービング無線リンクを介して前記移動局（２１０）へＭＯＢ＿ＢＳＨＯ−ＲＥＳメッセージを送信する（５４０Ａ、５４０Ｂ）工程であって、前記無線リソース集合情報は前記ＭＯＢ＿ＢＳＨＯ−ＲＥＳメッセージにピギーバックされる、工程と、
前記工程（ｂ）の後に前記サービング無線リンクを介して前記移動局（２１０）へＭＯＢ＿ＢＳＨＯ−ＲＥＱメッセージを送信する（５５０Ａ、５５０Ｂ）工程であって、前記無線リソース集合情報は前記ＭＯＢ＿ＢＳＨＯ−ＲＥＱメッセージにピギーバックされる、工程と、のうちの一方を含む
ことを特徴とする請求項１０に記載の方法（７００Ａ、７００Ｂ）。
【請求項１４】
前記無線リソース集合は、ＵＬスロットＩＥ、ＵＬ−ＭＡＰ、ＵＣＤ及びＤＣＤを含み、
前記非競合の上りアクセス時間スロットは、前記移動局（２１０）に非競合ベースのレンジング機会を提供する前記ＵＬスロットＩＥに規定される
ことを特徴とする請求項１３に記載の方法（７００Ａ、７００Ｂ）。
【請求項１５】
無線ネットワーク（２００）においてハンドオーバを実行する方法（８００Ａ、８００Ｂ）であって、
（ａ）実行される予定の前記ハンドオーバに関する警告メッセージをサービング基地局（２２０）から受信する工程（８１０Ａ、８１０Ｂ）と、
（ｂ）ターゲット基地局（２３０）とのターゲット無線リンクを確立するために移動局（２１０）により用いられる無線リソース集合を割り当てる工程（８２０Ａ、８２０Ｂ）と、
（ｃ）前記無線リソース集合に関する情報を前記サービング基地局（２２０）へ送信する工程（８３０Ａ、８３０Ｂ）であって、前記無線リソース集合情報は前記サービング基地局（２２０）へ送信される警告応答メッセージにピギーバックされる、工程（８３０Ａ、８３０Ｂ）と、
（ｄ）前記ターゲット基地局（２３０）によりリッスンされる無線インタフェースを介して前記無線リソース集合を使用して移動局（２１０）からレンジング要求メッセージを受信する工程（８４０Ａ、８３０Ｂ）と、
（ｅ）前記無線インタフェースを介して前記移動局（２１０）へレンジング応答メッセージを送信する工程（８５０Ａ、８５０Ｂ）と
を有することを特徴とする方法（８００Ａ、８００Ｂ）。
【請求項１６】
前記ターゲット基地局（２３０）は複数のターゲット基地局（２３０）のアンカー・サービング基地局（２３０−１）であり、
前記ターゲット無線リンクは、前記無線局（２１０）と前記複数のターゲット基地局（２２０）との間の共通ターゲット無線リンクであり、
前記方法は、前記共通ターゲット無線リンクが複数のターゲット基地局（２３０）のすべてに対して確立されるように、その他のターゲット基地局（２３０）に通知する工程（８５５Ｂ）をさらに有する
ことを特徴とする請求項１５に記載の方法（８００Ｂ）。
【請求項１７】
前記工程（ａ）は、ネットワーク・バックボーン（２４０）を介して前記サービング基地局（２２０）からＨＯ事前通知ＲＥＱ／ＨＯ−ＲＥＱメッセージを受信する工程（５２０Ａ、５２０Ｂ）を含み、
前記工程（ｃ）は、前記ネットワーク・バックボーン（２４０）を介して前記サービング基地局（２２０）へＨＯ事前通知ＲＥＳ／ＨＯ−ＲＥＳメッセージを送信する工程（５３０Ａ、５３０Ｂ）を含み、
前記無線リソース集合情報は前記ＨＯ事前通知ＲＥＳ／ＨＯ−ＲＥＳメッセージにピギーバックされ、
前記無線リソース集合は、前記移動局（２１０）が前記ターゲット基地局（２３０）へＲＮＧ−ＲＥＱメッセージを送信するための非競合の上りリンク・アクセス時間スロットを含み、
前記工程（ｄ）は、前記無線インタフェースを介して前記上りリンク時間スロットの間に前記移動局（２１０）からのＲＮＧ−ＲＥＱメッセージをリッスンする工程（６１０）を含み、
前記工程（ｅ）は、前記ＲＮＧ−ＲＥＱメッセージに応答して前記移動局（２１０）へＲＮＧ−ＲＥＳメッセージを送信する工程（６２０）を含む
ことを特徴とする請求項１５に記載の方法（８００Ａ、８００Ｂ）。
【請求項１８】
前記無線リソース集合は、ＵＬスロットＩＥ、ＵＬ−ＭＡＰ、ＵＣＤ及びＤＣＤを含み、
前記上りリンク時間スロットは、前記移動局（２１０）に非競合ベースのレンジング機会を提供する前記ＵＬスロットＩＥに規定される
ことを特徴とする請求項１７に記載の方法（８００Ａ、８００Ｂ）。
【請求項１９】
無線ネットワーク（２００）においてハンドオーバを実行する方法（９００Ａ）であって、
（ａ）一つ以上の隣接基地局のそれぞれについて、ＤＬ  ＭＡＰ／ＵＬ  ＭＡＰ及びＤＣＤ／ＵＣＤパラメータを取得して復号し、Ｔ１カウンタを含む前記ＤＬ  ＭＡＰ／ＵＬ  ＭＡＰカウンタとロストＤＬ  ＭＡＰ間隔とを記憶するために一つ以上の隣接基地局をスキャンする工程（９１０Ａ）と、
（ｂ）前記スキャンに基づいて一つ以上の候補のターゲット基地局のリストを決定する工程（９２０Ａ）と、
（ｃ）前記一つ以上の候補のターゲット基地局の前記リストを含むハンドオーバ要求メッセージをサービング無線リンクを介してサービング基地局（２２０）へ送信する工程（９３０Ａ）と、
（ｄ）前記サービング無線リンクを介して前記サービング基地局（２２０）からハンドオーバ応答メッセージを受信する工程（９４０Ａ）であって、前記ハンドオーバ応答メッセージには一つ以上の候補のターゲット基地局から選択されたターゲット基地局（２３０）に対応する前記無線リソース集合情報を含む前記一つ以上の候補のターゲット基地局についての一つ以上の無線リソースに関する情報がピギーバックされ、前記無線リソース集合は前記ターゲット基地局（２３０）とのターゲット無線リンクを確立するために移動局（２１０）による使用のために割り当てられる、工程（９４０Ａ）と、
（ｅ）前記サービング無線リンクを介して前記サービング基地局（２２０）へハンドオーバ表示メッセージを送信する工程（９５０Ａ）と、
（ｆ）前記無線リソース集合を使用して前記ターゲット基地局（２３０）によりリッスンされる無線インタフェースを介して前記ターゲット基地局（２３０）へレンジング要求メッセージを送信する工程（９６０Ａ）と
を有することを特徴とする方法（９００Ａ）。
【請求項２０】
前記工程（ｃ）は、前記サービング無線リンクを介して前記サービング基地局（２２０）へＭＯＢ＿ＭＳＨＯ−ＲＥＱメッセージを送信する工程（５１０Ａ、５１０Ｂ）を含み、
前記工程（ｄ）は、前記サービング無線リンクを介して前記サービング基地局（２２０）からＭＯＢ＿ＢＳＨＯ−ＲＥＳメッセージを受信する工程（５４０Ａ、５４０Ｂ）を含み、
前記工程（ｅ）は、前記サービング無線リンクを介して前記サービング基地局（２２０）へＭＯＢ＿ＨＯ−ＩＮＤメッセージを送信する工程を含み、
前記工程（ｆ）は、前記無線インタフェースを介して前記ターゲット基地局（２３０）へＲＮＧ−ＲＥＱメッセージを送信する工程を含み、
前記無線リソース集合情報は前記ＭＯＢ＿ＢＳＨＯ−ＲＥＳメッセージにピギーバックされ、
前記無線リソース集合は、前記移動局（２１０）が前記ＲＮＧ−ＲＥＱメッセージを前記ターゲット基地局（２３０）へ送信するための上りリンク時間スロットを含む
ことを特徴とする請求項１９に記載の方法（９００Ａ）。
【請求項２１】
前記無線リソース集合は、ＵＬスロットＩＥ、ＵＬ−ＭＡＰ、ＵＣＤ及びＤＣＤを含み、
前記上りリンク時間スロットは、前記移動局（２１０）に非競合ベースのレンジング機会を提供する前記ＵＬスロットＩＥに規定される
ことを特徴とする請求項２０に記載の方法（９００Ａ）。
【請求項２２】
前記ＭＯＢ＿ＢＳＨＯ−ＲＥＳメッセージは、前記一つ以上の候補のターゲット基地局についての一つ以上の無線リソース集合に関する前記情報が前記ＭＯＢ＿ＢＳＨＯ−ＲＥＳメッセージにピギーバックされているかを示す値を有するピギーバック・インジケータを含むことを特徴とする請求項２０に記載の方法（９００Ａ）。
【請求項２３】
前記工程（ｂ）において、前記移動局（２１０）は、隣接基地局のそれぞれについて、信号強度、ＤＣＤ用のＴ１カウンタ、ロストＬＤ  ＭＡＰ及びＤＬ  ＭＡＰの受信時間のうち少なくとも何れかに基づいて前記一つ以上の候補のターゲット基地局の前記リストを決定することを特徴とする請求項１９に記載の方法（９００Ａ）。
【請求項２４】
前記工程（ｆ）は前記工程（ｅ）の前に実行されることを特徴とする請求項１９に記載の方法（９００Ｂ）。
【請求項２５】
無線ネットワーク（２００）において移動局（２１０）のハンドオーバを実行する方法（９００Ｂ）であって、
（ａ）サービング無線リンクを介してサービング基地局（２１０）からハンドオーバ要求メッセージを受信する工程（９１０Ｂ）であって、前記ハンドオーバ要求メッセージには一つ以上の候補のターゲット基地局に対応する一つ以上の無線リソース集合情報がピギーバックされる、工程（９１０Ｂ）と、
（ｂ）前記一つ以上の候補のターゲット基地局からターゲット基地局（２３０）を選択するために前記一つ以上の無線リソース集合情報を復号する工程（９２０Ｂ）であって、前記ターゲット基地局（２３０）に対応する前記無線リソース集合情報は前記ターゲット基地局（２３０）とのターゲット無線リンクを確立するために前記移動局（２１０）による使用のために割り当てられる、工程（９２０Ｂ）と、
（ｃ）前記サービング無線リンクを介して前記サービング基地局（２２０）へハンドオーバ表示メッセージを送信する工程（９５０Ｂ）と、
（ｄ）前記ターゲット基地局（２３０）によりリッスンされる無線インタフェースを介して前記無線リソース集合を用いて前記ターゲット基地局（２３０）へレンジング要求メッセージを送信する工程（９６０Ｂ）と
を有することを特徴とする方法（９００Ｂ）。
【請求項２６】
前記工程（ａ）は、前記サービング無線リンクを介して前記サービング基地局（２２０）からＭＯＢ＿ＢＳＨＯ＿ＲＥＱメッセージを受信する工程（５５０Ａ、５４０Ｂ）を含み、
前記工程（ｃ）は、前記サービング無線リンクを介して前記サービング基地局（２２０）へＭＯＢ＿ＨＯ−ＩＮＤメッセージを送信する工程を含み、
前記工程（ｄ）は、前記無線インタフェースを介して前記ターゲット基地局（２３０）へＲＮＧ−ＲＥＱメッセージを送信する工程を含み、
前記無線リソース集合情報は前記ＭＯＢ＿ＢＳＨＯ−ＲＥＱメッセージにピギーバックされ、
前記無線リソース集合は、前記基地局（２１０）が前記ターゲット基地局（２３０）へＲＮＧ−ＲＥＱメッセージを送信するための非競合の上りリンク・アクセス情報を含む
ことを特徴とする請求項２５に記載の方法（９００Ｂ）。
【請求項２７】
前記ＭＯＢ＿ＢＳＨＯ−ＲＥＱメッセージは、前記一つ以上の候補のターゲット基地局についての一つ以上の無線リソース集合に関する前記情報が前記ＭＯＢ＿ＢＳＨＯ−ＲＥＱメッセージにピギーバックされているかを示す値を有するピギーバック・インジケータを含むことを特徴とする請求項２６に記載の方法（９００Ａ）。
【請求項２８】
前記工程（ｂ）において、前記移動局（２１０）は前記ターゲット基地局（２３０）の前記無線リソース集合内の所与のフレーム番号が有効であるかをロストＤＬ  ＭＡＰ間隔から判定し、前記移動局（２１０）は前記判定に基づいて前記ターゲット基地局（２３０）を選択することを特徴とする請求項２５に記載の方法（９００Ｂ）。
【請求項２９】
前記工程（ｄ）は前記工程（ｃ）の前に実行されることを特徴とする請求項２５に記載の方法（９００Ｂ）。
【請求項３０】
前記無線リソース集合は、ＵＬスロットＩＥ、ＵＬ−ＭＡＰ、ＵＣＤ及びＤＣＤを含み、
前記移動局（２１０）が前記レンジング処理を実行するための前記非競合の機会は前記ＵＬスロットＩＥに規定されることを特徴とする請求項７に記載の方法（９００Ｂ）。
【発明の詳細な説明】
【技術分野】
【０００１】
本開示の技術は一般に一つ以上のサービング基地局から一つ以上のターゲット基地局への移動局のハンドオーバを最適化することに関する。特に、本技術はＷｉＭａｘのような無線ネットワークにおけるハンドオーバ中断時間を最小化することに関する。
【０００２】
本出願は２００７年１０月２５日に出願された「ハンドオーバの最適化：ＷｉＭａｘにおけるＨＯ中断の低減」という名称の米国仮特許出願第６０／９９６，０１２号の優先権及び利益を主張し、その全体を参照により本明細書に組み込む。
【背景技術】
【０００３】
無線通信システムではハンドオーバの実行が頻繁に発生する。図１Ａに示されるように、ハンドオーバは、移動局１１０と一つの（サービング）基地局１２０との間の無線リンクが切断されるとともに移動局１１０と別の（ターゲット）基地局１３０との間の無線リンクが確立される処理である。ハンドオーバを実行する一般的な理由は、サービング基地局１２０によりサービスが提供されるセル領域からターゲット基地局１３０によりサービスが提供されるセル領域へネットワーク１００内の移動局１１０が移動する場合である。別の一般的な理由は、ネットワーク内の基地局のサービス負荷のバランスを保つためである。
【０００４】
「メイク・ビフォア・ブレーク（make-before-break）」型と「ブレーク・ビフォア・メイク（break-before-make）」型という二つのハンドオーバのタイプがある。別名ソフト・ハンドオーバとして知られているメイク・ビフォア・ブレーク型のハンドオーバでは、移動局とサービング基地局との間の無線リンクが切断される前に、移動局とターゲット基地局との間の無線リンクが張られる。移動局は少なくとも一つの基地局を通じて常に無線通信状態であるため、サービスの中断は皆無かそれに近い。
【０００５】
ブレーク・ビフォア・メイク又は「ハード」・ハンドオーバ（「ハンドオフ」と呼ばれることもある）では、ターゲット基地局とのリンクが確立される前に、サービング基地局との無線リンクが切断される。よって、ソフト・ハンドオーバとは対照的に、移動局がネットワークとデータを交換していない期間−中断時間−が存在する。中断時間が相当量であるならば、ネットワーク・サービスが劣化しうる。
【０００６】
図１Ｂは、レンジング要求（ＲＮＧ−ＲＥＱ）メッセージとレンジング応答（ＲＮＧ−ＲＥＳ）メッセージとを使用する移動局主導型ハード（ブレーク・ビフォア・メイク）・ハンドオーバについての既存のＷｉＭａｘ信号フローを示す。ハード・ハンドオーバは、スキャニング・フェーズ、ハンドオーバ準備フェーズ及びハンドオーバ実行フェーズを含む。示されるように、移動局は、候補の（potential）ターゲット基地局（群）をスキャン即ち検索し、候補のターゲットに関する情報を収集する。移動局はハンドオーバ準備フェーズの間にハンドオーバが必要であると判断し、移動局主導型ハンドオーバ要求（ＭＯＢ−ＭＳＨＯ−ＲＥＱ）メッセージをサービング基地局へ送信する。続いて、サービング基地局は、ハンドオーバ事前通知／要求（ＨＯ事前通知ＲＥＱ／ＨＯ−ＲＥＱ）メッセージを送信することによってターゲット基地局に警告する。ターゲット基地局は、ハンドオーバ事前通知／応答（ＨＯ事前通知ＲＥＳ／ＨＯ−ＲＥＳ）メッセージをサービング基地局へ送信することによって応答する。次に、サービング移動局は、ハンドオーバ応答（ＭＯＢ−ＢＳＨＯ−ＲＥＳ）メッセージを移動局へ送信することによって移動局に応答する。移動局は、ハンドオーバ表示（ＭＯＢ＿ＨＯ−ＩＮＤ）メッセージをサービング基地局へ送信することによって応答メッセージに確認応答する。ＭＯＢ＿ＨＯ−ＩＮＤメッセージは、ハンドオーバ準備フェーズの終了とハンドオーバ実行フェーズの開始とを特徴付ける。
【０００７】
ＭＯＢ＿ＨＯ−ＩＮＤメッセージの内容は、移動局がハンドオーバ実行に進む準備ができているか又はハンドオーバをキャンセルしたいかを示す。移動局が進む準備ができているということをＭＯＢ＿ＨＯ−ＩＮＤメッセージが示すならば、移動局とサービング基地局との間の無線リンクは切断される。サービング基地局は、ＨＯ通知／ＨＯ−Ｃｎｆ（確認）メッセージをターゲット基地局へ送信することによってハンドオーバ実行が開始されていることをターゲット基地局に通知する。
【０００８】
次に、ターゲット基地局は、移動局が（以下でより詳細に説明される）ターゲット基地局とのレンジング処理を実行するために使用するレンジング要求（ＲＮＧ−ＲＥＱ）無線リソース集合を割り当てる。ＲＮＧ−ＲＥＱリソースが割り当てられた後に、ターゲット基地局は移動局にＲＮＧ−ＲＥＱリソースに関する情報を提供する。ＲＮＧ−ＲＥＱリソースを使用して、移動局はレンジング要求（ＲＮＧ−ＲＥＱ）メッセージをターゲット基地局へ送信することによってレンジング処理を開始する。ターゲット基地局は、レンジング応答（ＲＮＧ−ＲＥＳ）メッセージを移動局へ提供することによって応答する。レンジング応答メッセージの内容に基づいて、移動局は自身の送信パラメータを調整し、移動局とターゲット基地局との間の無線リンクが確立されてハンドオーバが完了する。
【０００９】
レンジング処理は、ターゲット基地局に合わせるように、正しいタイミング・オフセットと電力調整値とを取得する処理である。例えば、移動局がターゲット基地局から比較的離れているならば、ターゲット基地局は、基地局が移動局から適当な強度で信号を受信しうるように、移動局が比較的高い電力レベルで送信すべきであると判断してもよい。逆に、移動局が比較的近いならば、信号干渉が最小化されるように、送信電力が比較的低く設定されうる。
【００１０】
また、図１Ｃは、サービング基地局によって代わりにハード・ハンドオーバが開始されることを除いて、図１Ｂと同様の既存のＷｉＭａｘ信号フローを示す。サービング基地局がハンドオーバを開始する場合に、サービング基地局はＨＯ事前通知ＲＥＱ／ＨＯ−ＲＥＱメッセージをターゲット基地局へ送信し、ターゲット基地局はＨＯ事前通知ＲＥＳ／ＨＯ−ＲＥＳメッセージで応答する。ターゲット基地局がハンドオーバの準備ができていると仮定すると、サービング基地局は基地局主導型ハンドオーバ要求（ＭＯＢ−ＢＳＨＯ−ＲＥＱ）メッセージを移動局へ送信し、それ（移動局）がハンドオーバを実行するよう進むべきであることを命令する。残りの処理は、図１Ｂについて説明された処理と同様である。
【００１１】
ハンドオーバ実行フェーズは、ハンドオーバ中断時間（移動局がＭＯＢ＿ＨＯ−ＩＮＤをサービング基地局へ送信する時点と、ターゲット基地局が移動局に割り当てられた下りリンク（ＤＬ）制御チャネルで確認応答を受信した時点との間の期間）を含み、移動局はネットワークとデータを交換できない。なぜなら、サービング基地局との無線リンクが切断され、ターゲット基地局との無線リンクはまだ確立されていないからである。
【発明の概要】
【発明が解決しようとする課題】
【００１２】
このハンドオーバ待ち時間即ち中断時間は、ネットワークによりエンド・ユーザに提供されるサービスに悪影響を及ぼしうる。中断時間は、ＷｉＭａｘのような既存の通信システムにおいて１４５ｍｓ程度に達しうる。ボイス・オーバＩＰ（ＶｏＩＰ）のようなサービス又はゲームのような双方向性の高いサービスについて、ＷｉＭａｘシステムに対する１４５ｍｓの中断遅延は自身の機能及びエンド・ユーザによる品質知覚にとって弊害をもたらしうる。加えて、中断時間が長いほど、データを保持するため、及び／又は、パケット損失を低減するために、より大きなバッファを必要とし、従って品質を妨げる。
【課題を解決するための手段】
【００１３】
一つ以上の非限定的な例示の実施形態では、ハンドオーバを実行する判断は移動局又はサービング基地局によって行われる。一般的には、移動局とターゲット基地局との間のターゲット無線リンクを確立するために移動局が使用する無線リソース集合が割り当てられて移動局に提供される。移動局又はサービング基地局のどちらがハンドオーバ手順を開始したかに依存して、無線リソース集合に関する情報はハンドオーバ応答メッセージにピギーバックされて又はハンドオーバ要求メッセージにピギーバックされて移動局に提供される。ひとたび移動局が無線リソース集合情報を受信すると、移動局とサービング基地局との間のサービング無線リンクは切断されえ、無線リソース集合を使用して移動局とターゲット基地局との間のターゲット無線リンクが確立されうる。
【００１４】
一つの実施形態では、無線リソース集合を割り当てることは、近々のハンドオーバに関してサービング基地局が警告メッセージをターゲット基地局へ送信することを含む。有線通信媒体及び／又は無線通信媒体の任意の組合せでありうるネットワーク・バックボーンを介して警告メッセージが送信される。
【００１５】
ターゲット基地局は、警告メッセージを受信すると、移動局に無線リソース集合を割り当てる。好適には、無線リソース集合は、移動局のために予約された非競合の上りリンク・リソース集合である。即ち、その他の移動局は同じリソース集合を競合しないだろう。非競合の上りリンク・リソース集合はとりわけ特定の上りリンク時間スロットを規定でき、更にレンジング・コード、周波数キャリア・チャネル、サブチャネル及び上りリンク・アクセス中に使用されるべきフレーム番号を規定しうる。次にターゲット基地局は警告応答メッセージをサービング基地局へ送信する。また、警告応答メッセージは、無線リソース集合情報がピギーバックされて、ネットワーク・バックボーンを介して送信されうる。
【００１６】
警告応答メッセージを受信すると、サービング基地局は、移動局とのサービング無線リンクを介して、（移動局がハンドオーバを開始するならば）ハンドオーバ応答メッセージを、又は（サービング基地局がハンドオーバを開始するならば）ハンドオーバ要求メッセージを移動局へ送信する。リソース集合情報はハンドオーバ応答／要求メッセージにピギーバックされる。
【００１７】
移動局は、ハンドオーバ応答／要求メッセージを受信すると、サービング無線リンクを介してハンドオーバ表示メッセージをサービング基地局へ送信し、それ（移動局）がハンドオーバを実行する準備ができていることを示す。この時点で、サービング無線リンクが切断されうる。
【００１８】
また、移動局はターゲット基地局により以前に割り当てられた無線リソース集合を使用して、無線インタフェースを介して、レンジング要求メッセージをターゲット基地局へ送信する。また、ターゲット基地局は、無線インタフェースを介して、レンジング応答メッセージを移動局へ送信することによって応答する。レンジング応答メッセージにおいて、ターゲット基地局は、応答メッセージにパラメータの中からタイミング・オフセットを含めてもよい。移動局は、応答メッセージに含まれるパラメータに従って、自身の無線送信パラメータを調整する。
【００１９】
次に、ターゲット基地局はＣＱＩＣＨのためにＤＬ制御チャネルを割り当てて、移動局はこれに確認応答して、移動局とターゲット基地局との間のデータ・リンクが確立される。その後、ターゲット無線リンクを介して、移動局とターゲット基地局との間でデータが交換されうる。ハンドオーバ表示メッセージとレンジング要求メッセージとは任意の順序で送信されうる。
【００２０】
その他の非限定的な例示の実施形態では、現在、移動局は複数のサービング基地局との共通サービング無線リンクでありえ、複数のサービング基地局との共通ターゲット無線リンクを確立するためのハンドオーバが実行されうる。非限定的な共通無線リンクの例は以下に記載される。ネットワークにデータを送信するため、上りリンク・データ・フレームの特定の時間、チャネル及び／又は符号スロットを使用するように移動局が指定されうる。サービング基地局は、上りリンク・データ・フレームの指定された時間、チャネル及び／又は符号スロットをリッスンするように構成される。即ち、移動局からのデータ送信をリッスンするようにサービング基地局は全て構成される。
【００２１】
例えば、共通無線リンクにより、移動局とネットワークとの間の通信信頼性を強化するように空間的ダイバーシチ方式が可能となる。移動局とアンカー・サービス基地局との間、及び移動局とアンカー・ターゲット基地局との間で、シグナリング・フロー・メッセージ（ＭＯＢ＿ＭＳＨＯ−ＲＥＱ、ＭＯＢ＿ＢＳＨＯ−ＲＥＱ、ＭＯＢ＿ＨＯ−ＩＮＤ、ＲＮＧ−ＲＥＱ、ＲＮＧ−ＲＥＳ等）が交換されうる。アンカー・サービス基地局とアンカー・ターゲット基地局とはそれぞれ、サービング基地局の一つとターゲット基地局の一つとである。
【００２２】
非限定的な例示の実施形態では、シグナリング・フローの一部は、中断時間から準備時間にシフトされる。結果として、中断時間は著しく低減され、それにより待ち時間が低減されるという利点を有する。加えて、バッファの必要条件が大いに減少する。
【００２３】
本発明の前述の及びその他の目的、特徴及び利点は、参照符号が種々の図面を通じて同じ部分を参照する添付する図面に示されるような好ましい実施形態の以下のより詳細な説明から明らかであろう。図面は必ずしも寸法通りではなく、代わって本発明の原理の説明に強調が置かれる。
【図面の簡単な説明】
【００２４】
【図１Ａ】従来のハンドオーバが実行される従来の無線ネットワーク構成を示す。
【図１Ｂ】、
【図１Ｃ】ハンドオーバが実行される場合の従来のシグナリング・フローを示す。
【図２Ａ】無線ネットワークの例示の非限定的な実施形態を示す。
【図２Ｂ】、
【図２Ｃ】ハード・ハンドオーバが実行される場合の例示の非限定的なシグナリング・フローを示す。
【図２Ｄ】無線ネットワークの別の例示の非限定的な実施形態を示す。
【図３Ａ】、
【図３Ｂ】ハンドオーバを実行する方法の例示の非限定的なフローチャートを示す。
【図４Ａ】、
【図４Ｂ】無線リソース集合を割り当てる方法の例示の非限定的なフローチャートを示す。
【図５Ａ】、
【図５Ｂ】ＷｉＭａｘ設定内の無線リソース集合を割り当てる方法の例示の非限定的なフローチャートを示す。
【図６Ａ】、
【図６Ｂ】移動局とターゲット基地局との間の無線リンクを確立する方法の例示の非限定的なフローチャートを示す。
【図７Ａ】、
【図７Ｂ】サービング基地局の観点からハンドオーバを実行する方法の例示の非限定的なフローチャートを示す。
【図８Ａ】、
【図８Ｂ】ターゲット基地局の観点からハンドオーバを実行する方法の例示の非限定的なフローチャートを示す。
【図９Ａ】、
【図９Ｂ】移動基地局の観点からハンドオーバを実行する方法の例示の非限定的なフローチャートを示す。
【発明を実施するための形態】
【００２５】
以下の記載では、説明のためであり制限するためではなく、特定のアーキテクチャ、インタフェース、技術などのような個別の詳細が、本発明の完全な理解をもたらすために説明される。しかしながら、これらの個別の詳細から逸脱する別の実施形態において本発明が実施されてもよいことが当業者には明らかだろう。即ち、当業者は、本明細書に明示的に記載又は図示されていなくとも、本発明の原理を具現化し、本発明の精神及び範囲に含まれる種々の装置を案出できるだろう。
【００２６】
幾つかの例では、不要な詳細により本発明の説明を不明瞭にしないために、周知のデバイス、回路及び方法の詳しい説明は省略される。本発明の原理、側面及び実施形態を詳述する本明細書の全ての記述並びに本発明の個別の例は、本発明の構成及び機能双方の均等物を包含することが意図される。さらに、現在知られている均等物だけでなく将来開発される均等物、即ち構成にかかわらず同じ機能を実行する開発される任意の要素をこのような均等物が含むことが意図される。
【００２７】
従って、例えば、本明細書のブロック図が技術の原理を具現化する説明上の回路の概念図を表すことができることが当業者には理解されよう。同様に、任意のフローチャート、状態遷移図、擬似コード及び同様のものが種々の処理を表し、これらの処理は実質的にコンピュータで読み取り可能な媒体において表されてもよく、従ってこのようなコンピュータ又はプロセッサが明示的に示されるか否かに関わらず、コンピュータ又はプロセッサによって実行されてもよいことが理解されるだろう。
【００２８】
専用ハードウェアだけでなく、適切なソフトウェアと関連してソフトウェアを実行可能なハードウェアの使用を通じて、「プロセッサ」又は「コントローラ」とラベルが付されるか又は記された機能ブロックを含む種々の要素の機能が提供され得る。プロセッサによって提供される場合に、単独の専用プロセッサによって機能が提供されてもよいし、単独の共有プロセッサによって機能が提供されてもよいし、若しくは一部が共有又は分散されてもよい複数の個別プロセッサによって機能が提供されてもよい。その上、「プロセッサ」又は「コントローラ」という用語の明示的な使用がソフトウェアを実行することができるハードウェアを排他的に意味すると解釈されるべきではなく、その用語の使用は、制限無くディジタル信号プロセッサ（ＤＳＰ、digital signal processor）のハードウェア、ソフトウェアを記憶するリードオンリメモリ（ＲＯＭ、read only memory）、ランダムアクセスメモリ（ＲＡＭ、random access memory）及び不揮発性記憶装置を含んでもよい。
【００２９】
図２Ａは無線ネットワーク２００の非限定的な例示の実施形態を示し、無線ネットワーク２００においてサービング基地局２２０と無線リンクの状態にある移動局２１０が切断されるとともにターゲット基地局２３０との無線リンクが確立されるように、ハンドオーバが実行されうる。参照を容易にするために、移動局２１０とサービング基地局２２０との間の無線リンクを「サービング」無線リンクと呼び、移動局２１０とターゲット基地局２３０との間の無線リンクを「ターゲット」無線リンクと呼ぶ。図２Ａでは、サービング無線リンクは実線で表され、ターゲット無線リンクは点線で表される。また、ネットワーク２００は、サービング基地局２２０をターゲット基地局２３０に動作可能なように接続するネットワーク・バックボーン２４０を含む。ネットワーク・バックボーン２４０は、光ファイバ、銅線、マイクロ波、衛星等のような有線リンク及び／又は無線リンクの任意の組合せでありうる。
【００３０】
図２Ｂは、移動局主導型ハンドオーバ要求（ＭＯＢ＿ＭＳＨＯ−ＲＥＱ）メッセージをサービング基地局２２０へ送信することによって移動局２１０がハード・ハンドオーバを開始する場合の例示の非限定的なシグナリング・フローを示す。ハンドオーバ要求はサービング無線リンクを介して送信されうる。次いで、サービング基地局２２０は、警告（ＨＯ事前通知ＲＥＱ／ＨＯ−ＲＥＱ）メッセージをターゲット基地局２３０へ送信することによって近々のハンドオーバについてターゲット基地局２３０に警告する。警告メッセージはバックボーン２４０を介して送信されうる。
【００３１】
一つの実施形態では、ターゲット基地局２３０は複数の候補のターゲット基地局から選択されうる。ハンドオーバが実行されうる複数の候補のターゲット基地局が存在する場合に、サービング基地局２２０は、候補のターゲット基地局それぞれに警告メッセージを送信する。警告メッセージは、マルチキャスト・メッセージとして又は個別メッセージとして送信されうる。
【００３２】
最終的に選択されるターゲット基地局２３０を含む候補のターゲット基地局それぞれは、警告メッセージを受信すると、移動局２１０がターゲット無線リンクを確立するために使用する無線リソース集合を割り当てる。好適には、無線リソース集合は移動局２１０に対して予約された非競合の（non-contentious）上りリンク・リソース集合であり、即ち、その他の移動局は同じリソース集合を競合しないだろう。次に、ターゲット基地局２３０は、警告応答（ＨＯ事前通知ＲＥＳ／ＨＯ−ＲＥＳ）メッセージをサービング基地局２２０へ送信する。警告応答メッセージもネットワーク・バックボーン２４０を介して送信されうる。警告応答メッセージにおいて、ターゲット基地局２３０は、移動局２１０に割り当てられた無線リソース集合に関する情報を含む。無線リソース集合情報は警告応答メッセージにピギーバック、即ち警告応答メッセージの一部として作成されうる。
【００３３】
ピギーバックの概念が非限定的な例示の記述で説明される。ＷｉＭａｘでは、ＨＯ事前通知ＲＥＳ／ＨＯ−ＲＥＳメッセージ、ＭＯＢ＿ＢＳＨＯ−ＲＥＳメッセージ及びＭＯＢ＿ＢＳＨＯ−ＲＥＱメッセージ（図２Ｂ参照）を含むメッセージは媒体アクセス制御（ＭＡＣ）メッセージとして形成される。ＭＡＣメッセージはペイロードを含むことができ、ペイロードのサイズは、個々のＭＡＣメッセージに対して動的に指定されうる。一つの実施形態では、無線リソース集合はＭＡＣメッセージ・ペイロードの一部として作成され、即ちＭＡＣメッセージにピギーバックされる。例えば、ターゲット基地局２３０からサービング基地局２２０へ送信されるＨＯ事前通知ＲＥＳ／ＨＯ−ＲＥＳメッセージは、メッセージのペイロード部に無線リソース集合情報を含んでもよい。一つの実施形態では、警告応答（ＨＯ事前通知ＲＥＳ／ＨＯ−ＲＥＳ）メッセージのフォーマットは、警告応答メッセージ内にピギーバックされたメッセージが存在するか否かを示すピギーバック・インジケータを含み、ピギーバック・インジケータは単一ビットとして実装されうる。
【００３４】
警告応答メッセージを受信すると、サービング基地局２３０は、ハンドオーバ応答（ＭＯＢ＿ＢＳＨＯ−ＲＥＳ）メッセージを移動局２１０へ送信することによって移動局２１０に応答する。ハンドオーバ応答メッセージはサービング無線リンクを介して送信されえ、サービング基地局２２０からの警告メッセージに応答した選択されるターゲット基地局２３０を含む候補のターゲット基地局全てについて、その上にピギーバックされた無線リソース集合情報を含みうる。警告応答メッセージと同様に、ハンドオーバ応答（ＭＯＢ＿ＢＳＨＯ−ＲＥＳ）メッセージのフォーマットは、ハンドオーバ応答メッセージにピギーバックされたメッセージが存在するか否かを示すピギーバック・インジケータを含むことができ、ピギーバック・インジケータはやはり単一ビットとして実装されうる。
【００３５】
移動局２１０は、ハンドオーバ表示（ＭＯＢ＿ＨＯ−ＩＮＤ）メッセージをサービング基地局２２０へ送信することによってハンドオーバ応答メッセージを確認応答する。これはまた、サービング無線インタフェースを介しうる。ハンドオーバ表示メッセージは、ハンドオーバ準備フェーズの終了とハンドオーバ実行フェーズの開始とを示す。
【００３６】
ハンドオーバ表示メッセージの内容は、移動局２１０がハンドオーバ実行に進む準備ができているか又はハンドオーバをキャンセルしたいかを示す。移動局２１０が進む準備ができていることをハンドオーバ表示メッセージが示すならば、サービング無線リンクが切断されうる。サービング基地局２２０は、ハンドオーバ通知（ＨＯ通知／ＨＯ−Ｃｎｆ）メッセージをターゲット基地局２３０へ送信することによってハンドオーバ実行が開始されたことをターゲット基地局２３０に通知する。
【００３７】
図１Ｂに示された従来のハンドオーバ処理と比較すると、図２Ｂではシグナリング・フロー・メッセージの一部が中断時間から準備時間にシフトされている。例として、無線リソース集合の割り当ては、ハンドオーバ実行フェーズの間ではなくハンドオーバ準備フェーズの間に実行され、割り当てられた無線リソース集合はまたハンドオーバ準備フェーズの間に移動局２１０に利用可能にされる。
【００３８】
ハンドオーバ表示メッセージをサービング基地局２２０へ送信することに加え、移動局２１０は、ターゲット基地局２３０によりリッスンされる無線インタフェースを介し、無線リソース集合を使用してレンジング要求（ＲＮＧ−ＲＥＱ）メッセージをターゲット基地局２３０へ送信する。一つの実施形態では、移動局２１０はレンジング要求を送信する前に候補のターゲット基地局の中からターゲット基地局２３０を選択する。ハンドオーバ準備フェーズ以前に既に無線リソース集合が割り当てられているので、サービング無線リンクを切断した後にターゲット基地局２３０のための無線リソース集合が割り当てられるのを移動局２１０が待たなくてよいことに留意されたい。また、無線リソース集合が非競合の上りリンク・リソース集合であるならば、移動局２１０のみが無線リソース集合の使用を許可されているので、それだけより早くハンドオーバ処理が遂行されるだろう。
【００３９】
図２Ｂはハンドオーバ表示メッセージがレンジング要求メッセージに先行し、それによりハンドオーバ中断時間をさらに低減することが可能となることを示す。しかしながら、移動局２１０は、ハンドオーバ表示メッセージとレンジング要求メッセージとを、いずれかの順序において、又は実質的に同時にさえ送信しうることが留意されるべきである。
【００４０】
ターゲット基地局２３０は、レンジング要求メッセージを受信すると、移動局２１０についての（とりわけタイミング・オフセット情報を含む）送信プロファイルを決定する。ターゲット基地局２３０はレンジング応答（ＲＮＧ−ＲＥＳ）メッセージの一部として送信プロファイルを移動局２１０へ送信する。これは無線インタフェースを介して提供されうる。移動局２１０は、レンジング応答メッセージを受信すると、タイミングと電力レベルとを含む自身のローカル送信パラメータを調整する。この時点で、ターゲット無線リンクが確立され、ターゲット基地局２３０はＣＱＩチャネル品質を報告するための制御チャネルを移動局に割り当ててもよい。その後、ハンドオーバを完了してターゲット無線リンクを介してデータが交換される。ハンドオーバが完了した後に、ターゲット基地局２３０は新たなサービング基地局になる。
【００４１】
中断時間から準備時間へのこのシグナリング・フローのシフトは、中断時間の著しい低減をもたらし、更に、移動局及び基地局のためにデータ・パケットをバッファする必要性を減らす結果をもたらす。シフトされたシグナリング・フロー・メッセージはサービング無線リンクだけでなくバックボーン２４０を介して、ピギーバックされたメッセージとして輸送されうる。そうすることで、中断時間は、２フレームから４フレーム（１０ｍｓから２０ｍｓ）程度の少なさに大幅に低減され、従って、全体の往復時間が低減される。
【００４２】
図２Ｃは、ハンドオーバが実行される場合の別の例示の非限定的なシグナリング・フローを示す。警告メッセージをターゲット基地局２３０へ送信することによってサービング基地局２２０によりハンドオーバが開始されるという点で図２Ｃは図２Ｂとは異なる。警告応答メッセージを受信した後に、サービング基地局２２０はサービング無線リンクを介して基地局主導型ハンドオーバ要求（ＭＯＢ＿ＢＳＨＯ−ＲＥＱ）メッセージを移動局２１０へ送信する。候補のターゲット基地局全てについての無線リソース集合情報がハンドオーバ要求メッセージにピギーバックされうる。ピギーバックされたメッセージの存在がピギーバック・インジケータを通じて示されうる。シグナリング・フローの残りは、図２Ｂに示されたシグナリング・フローと同様である。
【００４３】
ここでもやはり、ターゲット基地局２３０は複数の候補のターゲット基地局の一つでありうることに留意されたい。ハンドオーバが実行されうる複数の候補のターゲット基地局が存在する場合に、サービング基地局２２０は候補のターゲット基地局それぞれに警告メッセージを送信し、これ対応して候補のターゲット基地局それぞれから警告応答メッセージを受信する。
【００４４】
簡単のため、図２Ａは一つの移動局２１０、一つのサービング基地局２２０及び一つのターゲット基地局２３０を示す。しかしながら、図２Ｄに示されるように、移動局２１０が複数のサービング基地局２２０−１、２２０−２、…、２２０−Ｎとの共通サービング無線リンクの状態にありえ、複数のターゲット基地局２３０−１、２３０−２、…、２３０−Ｍとの共通ターゲット無線リンクが確立されるようにハンドオーバが実行されうるということが意図される。
【００４５】
調整を容易にするため、移動局２１０とサービング基地局２２０の一つであるアンカー・サービング基地局２２０−１との間でシグナリング・フローが実施されうる。同様に、移動局２１０とターゲット基地局２３０の一つであるアンカー・ターゲット基地局２３０−１との間でシグナリング・フローが実施されうる。サービング基地局２２０の数とターゲット基地局２３０の数とは同じである必要はないことに留意されたい。また、複数のサービスと複数のターゲット基地局との両方が図２Ｄに示されるものの、一つのサービング基地局から複数のターゲット基地局への、及び複数のサービング基地局から一つのターゲット基地局へのハンドオーバが起こりうることが十分に意図される。
【００４６】
図３Ａは、ハンドオーバを実行する方法の例示の非限定的なフローチャートを示す。移動局とサービング基地局との何れかによってハンドオーバが開始されうる。動作３１０Ａにおいて、無線リソース集合が移動局に割り当てられる。割り当てられた無線リソース集合はターゲット基地局とのターゲット無線リンクを確立するために移動局によって使用される。移動局がハンドオーバを（例えば、サービング基地局へ送信されるハンドオーバ要求を通じて）開始するならば、割り当てられた無線リソース集合に関する情報はハンドオーバ応答メッセージにピギーバックされたメッセージとしてサービング基地局から移動局に提供される。サービング基地局がハンドオーバを開始するならば、無線リソース集合情報はサービング基地局から移動局へ送信されるハンドオーバ要求メッセージにピギーバックされる。
【００４７】
一つの実施形態では、動作３１０Ａで割り当てられた無線リソース集合は、ターゲット基地局と通信するその他の移動局が同じ無線リソース集合について競合しないような、移動局のために個別に予約された非競合の上りリンク無線リソース集合である。非競合のリソースはレンジング処理を実行するために移動局によって使用される。非競合の上りリンク無線リソース集合は、レンジング処理の間に移動局が使用するために個別に予約された上りリンク時間スロットを含みうる。また、非競合のリソース集合は、１．２５ＭＨｚから２０ＭＨｚまで又は４０ＭＨｚまでさえのチャネル帯域幅で大幅に変化しうる周波数キャリア（ｆｃ）チャネルを含みうる。加えて、非競合のリソース集合は、上りリンク・アクセスの間に移動局により使用されるサブチャネル（群）、フレーム番号（群）等を含みうる。
【００４８】
図２Ｂについて上記で注記されたように、ターゲット基地局は、多数の候補のターゲット基地局の一つでありうる。複数の候補のターゲット基地局が存在する場合に、動作３１０Ａは候補のターゲット基地局それぞれについて実行される。即ち、候補のターゲット基地局それぞれに対応する無線リソース集合が割り当てられうる。最終的に、選択されたターゲット局（群）に対応する無線リソースだけがターゲット無線リンク（群）の確立に使用される。しかしながら、簡単化及び明確化のため、図３Ａは一つのターゲット基地局についての処理を示す。
【００４９】
動作３１０Ａにおいて無線リソース集合が割り当てられた後に、移動局とサービング基地局との間のサービング無線リンクは動作３２０Ａにおいて切断されうる。これは、その他の移動局と通信するためにサービング基地局により使用されうるように、リンク・リソースを開放する。動作３３０Ａにおいて、割り当てられた無線リソース集合を使用して、移動局とターゲット基地局との間のターゲット無線リンクが確立される。一つの実施形態では、動作３２０Ａと動作３３０Ａとは、中断時間の期間が存在するように起こる。即ち、ハード・ハンドオーバが実行される。また、一つの実施形態では、動作３１０Ａは動作３２０Ａの前に起こる。即ち、ハンドオーバ実行フェーズではなくハンドオーバ準備フェーズの間に無線リソース集合が割り当てられ、これにより、中断時間を著しく低減し、対応して、中断時間の間にデータを保持するために必要となるバッファ長を低減する。
【００５０】
図２Ｄに示されるように複数のサービング基地局及び／又は複数のターゲット基地局が存在する場合に、図３Ｂに示される別の例示の非限定的な実施形態に従ってハンドオーバが実行されうる。動作３１０Ｂにおいて、移動局が複数のターゲット基地局との共通ターゲット無線リンクを確立するのに使用するために共通無線リソース集合が割り当てられる。移動局又はサービング基地局のどちらがハンドオーバを開始するかに依存して、ハンドオーバ応答メッセージ又はハンドオーバ要求メッセージにピギーバックされたメッセージとして、サービング基地局から移動局へ共通無線リソース集合に関する情報が提供される。
【００５１】
動作３２０Ｂにおいて、移動局と複数のサービング基地局との間の共通サーバ無線リンクが切断される。次に、動作３３０Ｂにおいて、割り当てられた共通無線リソース集合を使用して、移動局と選択されたターゲット基地局との間の共通ターゲット無線リンクが確立される。一つの実施形態では、動作３２０Ｂと動作３３０Ｂとは、中断時間がゼロにならないように起こる。また、動作３１０Ｂは動作３２０Ｂの前に起こりうる。
【００５２】
図４Ａは、移動局に無線リソース集合を割り当てる（図３Ａの動作３１０Ａを参照）方法の例示の非限定的なフローチャートを示す。候補の複数のターゲット基地局が存在する場合に、ターゲット基地局が選択されうる候補のターゲット基地局それぞれについて、図４Ａに示される方法が実行される。本方法では、ターゲット基地局は、動作４１０Ａにおいて、実行される予定のハンドオーバについて警告される。サービング基地局は、警告メッセージを送信することによってネットワーク・バックボーンを介してターゲット基地局に警告できる。複数の候補のターゲット基地局が存在する場合に、候補のターゲット基地局それぞれに個別に警告メッセージが送信されてもよいし、複数の候補のターゲット基地局にマルチキャスト・メッセージとして、警告メッセージが送信されてもよい。
【００５３】
動作４２０Ａにおいて、ターゲット基地局のために無線リソース集合が割り当てられる。ターゲット基地局自身が無線リソース集合を割り当ててもよい。動作４３０Ａにおいて、無線リソース集合に関連する情報がサービング基地局に提供される。ターゲット基地局は、警告応答メッセージにピギーバックすることによってバックボーンを介して無線リソース集合情報を提供しうる。動作４４０Ａにおいて、無線リソース集合情報が移動局へ中継される。サービング基地局は、ハンドオーバ応答メッセージ（移動局主導型ハンドオーバ）又はハンドオーバ要求メッセージ（サービング基地局主導型ハンドオーバ）にピギーバックされた無線リソース集合情報をサービング無線リンクを介して中継しうる。
【００５４】
図４Ｂは、複数のサービング基地局及び／又は複数のターゲット基地局が存在する場合に共通無線リソース集合（図３Ｂの動作３２０Ｂ参照）を割り当てる方法の例示の非限定的なフローチャートを示す。この方法では、アンカー・ターゲット基地局は、動作４１０Ｂにおいて、実行される予定のハンドオーバについて警告される。動作４２０Ｂにおいて、共通無線リソース集合が割り当てられ、動作４３０Ｂにおいて、警告応答メッセージにピギーバックされて、共通無線リソース集合がアンカー・サービング基地局に提供される。動作４４０Ｂにおいて、ハンドオーバ応答／要求メッセージにピギーバックされて、共通無線リソース集合が移動局へ中継される。
【００５５】
図５Ａは、ＷｉＭａｘシステムの文脈において、無線リソース集合を割り当てる方法の例示の非限定的なフローチャートを示す。移動局によりハンドオーバが開始されるならば、移動局は動作５１０ＡにおいてＭＯＢ＿ＭＳＨＯ−ＲＥＱメッセージをサービング基地局へ送信し、本方法は動作５２０Ａへ進む。サービング無線リンクを介してＭＯＢ＿ＭＳＨＯ−ＲＥＱメッセージは送信されうる。サービング基地局が処理を開始するならば、本方法は動作５２０Ａで始まる。
【００５６】
動作５２０Ａにおいて、実行される予定のハンドオーバについてターゲット基地局に警告するため、サービング基地局はＨＯ事前通知ＲＥＱ／ＨＯ−ＲＥＱメッセージをターゲット基地局へ送信する。ＨＯ事前通知ＲＥＱ／ＨＯ−ＲＥＱメッセージは、ネットワーク・バックボーンを介して送信されうる。応答として、動作５３０Ａにおいて、ターゲット基地局はＨＯ事前通知ＲＥＳ／ＨＯ−ＲＥＳメッセージをサービング基地局へ送信する。ＨＯ事前通知ＲＥＳ／ＨＯ−ＲＥＳメッセージもネットワーク・バックボーンを介して送信されうる。
【００５７】
一つの実施形態では、ＵＬ無線リソース集合の一部として含まれるＵＬスロットＩＥ（情報要素）は、ターゲット基地局から送信されるＨＯ事前通知ＲＥＳ／ＨＯ−ＲＥＳメッセージにピギーバックされる。好適には、ＵＬスロットＩＥメッセージは、以下の項目即ちフレーム番号インデックスｎ、ｎ＋１、ＵＩＵＣ、レンジング・コード、レンジング・サブチャネル、ＵＬ開始送信タイミング、シンボル・オフセット、ＭＡＣヘッダ内のＣＩＤフィールド、ＨＯ＿ＩＤキャリア周波数等のうちの一つ以上を含み、ターゲット基地局とのレンジング処理を実行するために、ハンドオーバを行おうとしている移動局に対して非競合の機会を規定する。複数の候補のターゲット基地局が存在する場合に、候補のターゲット基地局それぞれについて動作５２０Ａと動作５３０Ａとが実行される。
【００５８】
フレーム番号は、移動局がＵＬアクセスを行うことができるフレーム・インデックスを特定する。ＵＩＵＣは使用されるべきバースト・プロファイルを表す。レンジング・コードはターゲット基地局へのＵＬアクセスの間に移動局により使用されるべき一意のレンジング・コードである。レンジング・サブチャネルはターゲット基地局へのＵＬアクセスを行う場合に移動局により使用されるべきサブチャネル番号である。ＵＬ開始送信時間はＵＬサブフレームの開始時間である。シンボル・オフセットは、移動局がＲＮＧ−ＲＥＱを行うＵＬ開始送信時間に関連するオフセットである。ＣＩＤは、ＲＮＧ−ＲＥＱ要求のためのＭＡＣヘッダで用いられるＣＩＤ（初期レンジングＣＩＤ＝００００）である。ＨＯ  ＩＤは、選択されたターゲット基地局への初期レンジングの間の使用のために移動局に割り当られる識別子である。
【００５９】
ハンドオーバが移動局により開始されるならば、動作５４０Ａにおいて、サービング基地局はサービング無線リンクを介してＭＯＢ＿ＢＳＨＯ−ＲＥＳメッセージを移動局へ送信する。ＵＬスロットＩＥメッセージはＭＯＢ＿ＢＳＨＯ−ＲＥＳメッセージにピギーバックされる。他方で、サービング基地局がハンドオーバを開始するならば、動作５５０Ａにおいて、サービング基地局は、サービング無線リンクを介して移動局に送信されるＭＯＢ＿ＢＳＨＯ−ＲＥＱメッセージにＵＬスロットＩＥメッセージをピギーバックする。複数の候補のターゲット基地局が存在する場合に、候補のターゲット基地局全てについてのＵＬスロットＩＥメッセージがピギーバックされる。
【００６０】
図５Ｂは、複数のサービング基地局及び／又は複数のターゲット基地局が存在する場合のＷｉＭａｘシステムの文脈において共通無線リソース集合を割り当てる方法の別の例示の非限定的なフローチャートを示す。移動局によりハンドオーバ手順が開始されるならば、動作５１０Ｂにおいて、移動局はＭＯＢ＿ＭＳＨＯ−ＲＥＱメッセージをアンカー・サービング基地局へ送信し、本方法は動作５２０Ｂへ進む。アンカー・サービス基地局が本処理を開始するならば、本方法は動作５２０Ｂで始まる。動作５２０Ｂにおいて、アンカー・サービング基地局はＨＯ事前通知ＲＥＱ／ＨＯ−ＲＥＱメッセージをアンカー・ターゲット基地局へ送信する。応答として、動作５３０Ｂにおいて、アンカー・ターゲット基地局は、ＨＯ事前通知ＲＥＳ／ＨＯ−ＲＥＳメッセージをアンカー・サービング基地局へ送信する。レンジング要求のための無線リソース集合を含むＵＬスロットＩＥは、アンカー・サービング基地局に送信されるＨＯ事前通知ＲＥＳ／ＨＯ−ＲＥＳメッセージにピギーバックされうる。
【００６１】
移動局によりハンドオーバが開始されるならば、動作５４０Ｂにおいて、アンカー・サービング基地局は、共通サービング無線リンクを介して、ＭＯＢ＿ＢＳＨＯ−ＲＥＳメッセージにピギーバックされたＵＬスロットＩＥを送信する。アンカー・サービング基地局がハンドオーバを開始するならば、アンカー・サービング基地局は、共通サービング無線リンクを介して移動局へ送信されるＭＯＢ＿ＢＳＨＯ−ＲＥＱメッセージにＵＬスロットＩＥをピギーバックする。
【００６２】
図６Ａは、移動局とハンドオーバを実行するために選択されたターゲット基地局との間のターゲット無線リンクを確立する方法の例示の非限定的なフローチャートを示す。図３Ａのステップ３３０Ａを参照されたい。本方法では、動作６１０Ａにおいて、移動局はレンジング要求メッセージをターゲット基地局へ送信する。レンジング要求メッセージは、移動局が使用するための（タイミング・オフセット調整値を含む）送信プロファイルに対する要求を含みうる。ＷｉＭａｘシステムの文脈では、ターゲット基地局がリッスンする無線インタフェースを介して、選択されたターゲット基地局へ移動局によりＲＮＧ−ＲＥＱメッセージが送信されうる。ＵＬスロットＩＥが提供されるならば、移動局は、ＲＮＧ−ＲＥＱメッセージを送信するために、ＵＬスロットＩＥで規定されたレンジング機会を使用する。
【００６３】
動作６２０Ａにおいて、ターゲット基地局は、無線インタフェースを介して、移動局のためのタイミングと電力オフセットとを含むレンジング応答メッセージを送信する。また、レンジング応答メッセージは、選択された中心周波数チャネル（例えば、１．２５ＭＨｚ、５ＭＨｚ、２０ＭＨｚ又は４０ＭＨｚ）を含みうる。動作６３０Ａにおいて、移動局は送信プロファイルに基づいて自身の送信パラメータを調整し、ターゲット無線リンクが確立される。次に、動作６４０Ａにおいて、調整されたパラメータに基づいて、移動局と選択されたターゲット基地局との間でデータが交換されうる。ＷｉＭａｘシステムの文脈では、レンジング応答はＲＮＧ−ＲＥＳメッセージの形式でありうる。
【００６４】
図６Ｂは、移動局と複数のターゲット基地局との間に共通ターゲット無線リンクを確立する方法の別の例示の非限定的なフローチャートを示す。図３Ｂのステップ３３０Ｂを参照されたい。本方法では、動作６１０Ｂにおいて、移動局は例えばアンカー・ターゲット基地局によりリッスンされる無線インタフェースを介して、レンジング要求（ＲＮＧ−ＲＥＱ）メッセージをアンカー・ターゲット基地局へ送信する。ＵＬスロットＩＥが利用可能ならば、移動局はＲＮＧ−ＲＥＱメッセージを送信するためにＵＬスロットＩＥで規定されたレンジング機会を使用する。動作６２０Ｂにおいて、アンカー・ターゲット基地局はレンジング応答（ＲＮＧ−ＲＥＳ）メッセージを送信する。動作６３０Ｂにおいて、共通ターゲット無線リンクを確立するために、移動局はレンジング応答メッセージに含まれる送信プロファイルに基づいて自身の送信パラメータを調整する。
【００６５】
また、この方法は、複数のターゲット基地局が共通ターゲット無線リンクを介して移動局とデータを交換する準備がされるように、例えばアンカー・ターゲット基地局によってその他のターゲット基地局（群）が通知される動作６２５Ｂを含む。次に、動作６４０Ｂにおいて、関連の制御チャネルが割り当てられているように、ハンドオーバ完了手続きに基づいて、移動局と複数のターゲット基地局との間でデータが交換されうる。
【００６６】
図７Ａは、サービング基地局の観点から、ハンドオーバを実行する方法の例示の非限定的なフローチャートを示す。動作７１０Ａにおいて、サービング基地局は実行される予定のハンドオーバについて、警告メッセージでターゲット基地局に警告する。サービング基地局は、ネットワーク・バックボーンを介してＨＯ事前通知ＲＥＱ／ＨＯ−ＲＥＱメッセージを送信することによってターゲット基地局に警告しうる。次に、動作７２０Ａにおいて、サービング基地局は、警告応答メッセージにピギーバックされた無線リソース集合をターゲット基地局から受信する。これは、ネットワーク・バックボーンを介するピギーバックされたＵＬ−ＭＡＰ／ＵＣＤ／ＵＬスロットＩＥを有するＨＯ事前通知ＲＥＳ／ＨＯ−ＲＥＳメッセージの形式でありうる。
【００６７】
動作７３０Ａにおいて、移動局又はサービング基地局のどちらがハンドオーバを開始するかに依存して、ハンドオーバ応答又は要求メッセージのどちらかにピギーバックされて、サービング無線リンクを介してターゲット基地局についての無線リソース集合が移動局へ中継される。移動局がハンドオーバを開始する場合にはＭＯＢ＿ＢＳＨＯ−ＲＥＳメッセージにピギーバックされ、そしてサービング基地局がハンドオーバを開始する場合にはＭＯＢ＿ＢＳＨＯ−ＲＥＱメッセージにピギーバックされて、ＵＬスロットＩＥが移動局へ中継される。次に動作７４０Ａにおいて、例えば移動局からＭＯＢ＿ＨＯ−ＩＮＤメッセージを受信した後に、移動局とのサービング無線リンクが切断される。
【００６８】
複数の候補のターゲット基地局が存在する場合に、候補のターゲット基地局それぞれに対して動作７１０Ａ、動作７２０Ａ及び動作７３０Ａが実行される。移動局又はサービング基地局のどちらかにより候補のターゲット基地局（群）が決定され（以下にこれについてもっと）、候補のターゲット基地局（群）からターゲット基地局が選択される。
【００６９】
図７Ｂは、ハンドオーバが複数のターゲット基地局への場合に、サービング基地局の観点から、ハンドオーバを実行する方法の別の例示の非限定的なフローチャートを示す。即ち、ハンドオーバでは、移動局と複数のターゲット基地局との間で共通ターゲット無線リンクが確立される。図７Ｂに示される方法は、一つのサービング基地局からの（専用リンクから共通リンクへの）ハンドオーバ、又は複数のサービング基地局からの（共通リンクから共通リンクへの）ハンドオーバでありうる。ハンドオーバが複数のサービング基地局からであれば、サービング基地局はアンカー・サービング基地局であると仮定しうる。
【００７０】
動作７１０Ｂにおいて、サービング基地局は、実行される予定のハンドオーバについてアンカー・ターゲット基地局に警告する。次に、動作７２０Ｂにおいて、サービング基地局は、ネットワーク・バックボーンを介して、例えばＨＯ事前通知ＲＥＳ／ＨＯ−ＲＥＳメッセージにピギーバックされたＵＬ−ＭＡＰ／ＵＣＤ／ＵＬスロットＩＥとして、アンカー・ターゲット基地局から共通無線リソース集合情報を受信する。動作７３０Ｂにおいて、サービング無線リンクを介して共通無線リソース集合が移動局へ中継される。移動局又はサービング基地局のどちらがハンドオーバを開始したかに依存して、ＭＯＢ＿ＢＳＨＯ−ＲＥＳメッセージ又はＭＯＢ＿ＢＳＨＯ−ＲＥＱメッセージにピギーバックされて、ＵＬスロットＩＥが移動局へ中継される。次に、動作７４０Ｂにおいて、移動局とのサービング無線リンクが切断される。その他のサービング基地局（群）が存在するならば、移動局との共通サービング無線リンクが切断されうるように、動作７４５Ｂにおいてこれらのその他のサービング基地局（群）は通知される。
【００７１】
図８Ａは、ターゲット基地局から経験されるようなハンドオーバを実行する方法の例示の非限定的なフローチャートを示す。動作８１０Ａにおいて、例えばバックボーンを介して、ターゲット基地局はサービング基地局から警告（ＨＯ事前通知ＲＥＱ／ＨＯ−ＲＥＱ）メッセージを受信する。動作８２０Ａにおいて、ターゲット基地局は無線リソース集合（ＵＬスロットＩＥ）を割り当てて、例えば、ネットワーク・バックボーンを介して、無線リソース集合情報がピギーバックされた警告応答（ＨＯ事前通知ＲＥＳ／ＨＯ−ＲＥＳ）メッセージとして、（動作８３０Ａにおいて）無線リソース集合情報をサービング基地局へ送信する。動作８４０Ａにおいて、ターゲット基地局は、無線リソース集合で規定された無線インタフェースを介して、移動局からレンジング要求（ＲＮＧ−ＲＥＱ）メッセージを受信し、動作８５０Ａにおいて、ターゲット基地局により送信プロファイルを含むレンジング応答メッセージが移動局へ送信される。
【００７２】
図８Ｂは、アンカー・ターゲット基地局から経験されるようなハンドオーバを実行する方法の別の例示の非限定的なフローチャートを示す。動作８１０Ｂにおいて、アンカー・ターゲット基地局は、サービング基地局から、例えばアンカー・サービング基地局から警告メッセージを受信する。動作８２０Ｂにおいて、共通無線リソース集合が割り当てられて、警告応答メッセージにピギーバックされてアンカー・ターゲット基地局によりサービング基地局へ（動作８３０Ｂにおいて）送信される。動作８４０Ｂにおいて、アンカー・ターゲット基地局は、共通無線リソース集合を介して移動局からレンジング要求（ＲＮＧ−ＲＥＱ）メッセージを受信し、動作８５０Ｂにおいて、とりわけタイミング・オフセットを含む送信プロファイルを含むレンジング応答メッセージがアンカー・ターゲット基地局により移動局へ送信される。また、本方法は、動作８５５Ｂにおいてその他のターゲット基地局（群）に通知することを含む。
【００７３】
図９Ａは、移動局から経験されるような、移動局がハンドオーバを開始するハンドオーバを実行する方法９００Ａの例示の非限定的なフローチャートを示す。動作９１０Ａにおいて、移動局は隣接基地局（群）をスキャンし、隣接基地局についてのパラメータのうち特にＤＬ  ＭＡＰ／ＵＬ  ＭＡＰとＤＣＤ／ＵＣＤとを復号する。動作９２０Ａにおいて、移動局はスキャン結果に基づいて、候補のターゲット基地局（群）のリストを決定する。例えば、所定の閾値以上である隣接基地局それぞれから受信された信号強度に基づいて、候補のターゲット基地局（群）が決定されてもよい。移動局は、ＤＣＤ用のＴ１のようなカウンタと移動局が隣接基地局それぞれのためのＤＬ  ＭＡＰを受信する時間とを記憶する。
【００７４】
ハンドオーバの判断がなされる場合に、動作９３０Ａにおいて、移動局はサービング無線リンクを介してハンドオーバ要求（ＭＯＢ＿ＭＳＨＯ−ＲＥＱ）メッセージをサービング基地局へ送信する（やはり図５Ａの動作５１０Ａを参照）。ハンドオーバ要求メッセージは、候補のターゲット基地局（群）のリストを含んでもよい。リストが一つのみを含むならば、デフォルトでそれが選択されたターゲット基地局となる。次に、動作９４０Ａにおいて、移動局は、サービング基地局からのハンドオーバ応答（ＭＯＢ＿ＢＳＨＯ−ＲＥＳ）メッセージを待つ（やはり図５Ａの動作５４０Ａを参照）。候補のターゲット基地局（群）についての無線リソース集合情報は、ハンドオーバ応答メッセージにピギーバックされる。候補のターゲット基地局（群）のリソース集合情報に基づいて、ターゲット基地局が選択される。
【００７５】
動作９５０Ａにおいて、移動局はハンドオーバ表示（ＭＯＢ＿ＨＯ−ＩＮＤ）メッセージをサービング基地局へ送信する。移動局がハンドオーバ実行に進む準備ができていると仮定すると、ハンドオーバ表示メッセージが送信された後に、サーバ無線リンクが切断されてもよい（やはり図３Ａの動作３２０Ａを参照）。動作９６０Ａにおいて、移動局は、本処理のために割り当てられた無線リソース集合を使用して、無線インタフェースを介してレンジング要求（ＲＮＧ−ＲＥＱ）メッセージをターゲット基地局へ送信する（やはり図６Ａの動作６１０Ａを参照）。ターゲット基地局がアンカー・ターゲット基地局ならば、無線リソース集合は、複数のターゲット基地局と通信するための共通無線リソース集合である（やはり図６Ｂの動作６１０Ｂを参照）。動作９６０Ａは、ターゲット基地局とのターゲット無線リンクを確立する処理（やはり図３Ａの動作３４０Ａを参照）、又は複数のターゲット基地局との共通ターゲット無線リンクを確立する処理（やはり図３Ｂの動作３４０Ｂを参照）を開始し、本処理は、図６Ａ又は図６Ｂに示されるように対応して進みうる。
【００７６】
動作９５０Ａと動作９６０Ａとを実行する順序は、個別のシーケンスに全く限定されない。動作９５０Ａは、動作９６０Ａの前に実行されてもよいし、その逆でもよいし、又は実質的に同時に実行されてもよい。しかしながら、移動局は、ハンドオーバ表示（ＭＯＢ＿ＨＯ−ＩＮＤ）メッセージをサービング基地局へ送信する（動作９５０Ａ）前に、レンジング要求（ＲＮＧ−ＲＥＱ）メッセージをターゲット基地局へ送信する（動作９６０Ａ）のが望ましい。これにより、中断時間をさらに低減することが可能となる。
【００７７】
図９Ｂは、移動局から経験されるような、サービング基地局がハンドオーバを開始するハンドオーバを実行する方法９００Ｂの別の例示の非限定的なフローチャートを示す。この方法では、サービング基地局が候補のターゲット基地局のリストを決定する。動作９１０Ｂにおいて、サービング無線リンクを介して、サービング基地局から基地局主導型ハンドオーバ要求（ＭＯＢ＿ＢＳＨＯ−ＲＥＱ）メッセージを受信する（やはり、図５Ａと５Ｂそれぞれの動作５５０Ａと５５０Ｂとを参照）。ターゲット基地局についての無線リソース集合は、ハンドオーバ要求メッセージにピギーバックされる。複数の候補のターゲット基地局が存在する場合に、候補のターゲット基地局全てについての無線リソース集合情報がそこにピギーバックされ、候補のターゲット基地局のリソース集合情報に基づいてターゲット基地局が選択される。複数のターゲット基地局との通信が意図されるならば、共通無線リソース集合がピギーバックされる。
【００７８】
サービング基地局によりＭＯＢ＿ＢＳＨＯ−ＲＥＱメッセージが送信される場合に、サービング基地局は一つ以上の候補のターゲット基地局を示してもよい。また、一つ以上の候補のターゲット基地局のレンジング要求のための専用ＵＬリソース（ＵＬスロットＩＥ）を示してもよい。移動局は、ピギーバック・インジケータを調べることによってこの情報がメッセージに含まれるかどうかを調べる。このインジケータが有効ならば、移動局はＵＬスロットＩＥを復号する。
【００７９】
動作９２０Ｂにおいて、移動局はハンドオーバ要求メッセージで提供された候補のターゲット基地局それぞれのための無線リソース集合情報を復号する。ＵＬスロットＩＥで送信された非競合の上りリンク無線リソース集合を復号すると、移動局は、ロストＤＬ  ＭＡＰ間隔（例えば、６００ｍｓ）と（スキャニング・フェーズ以前に取得された）Ｔ１カウンタとを調べることによって、それがターゲット基地局と同期をしているかを確認する。この間隔が経過されていなく且つ（無線リソース集合で与えられた）フレーム番号がまだ有効であるならば、移動局はターゲットＢＳのＤＬ  ＭＡＰ、ＤＣＤメッセージを復号することなく、ターゲットＢＳについてのＲＮＧ−ＲＥＱメッセージを構築し、それを所与の非競合の上りリンク無線リソースを使用して所与のフレーム番号で送信しうる。
【００８０】
次に、ハンドオーバは動作９５０Ａ及び動作９６０Ａとそっくりに進む。即ち、図９Ｂの動作９５０Ｂにおいて、移動局はハンドオーバ表示（ＭＯＢ＿ＨＯ−ＩＮＤ）メッセージをサービング基地局へ送信する。動作９６０Ｂにおいて、移動局は、所与のフレーム番号において本処理に割り当てられた無線リソース集合を使用して、無線インタフェースを介してレンジング要求（ＲＮＧ−ＲＥＱ）メッセージをターゲット基地局へ送信する。移動局は任意の順序でターゲット基地局へのＲＮＧ−ＲＥＱメッセージとサービング基地局へのＭＯＢ＿ＨＯ−ＩＮＤメッセージとを送信してもよい。しかしながら、図９Ａに関して説明された状況と同様に、中断時間を最小化するため、レンジング要求（ＲＮＧ−ＲＥＧ）メッセージはハンドオーバ表示（ＭＯＢ＿ＨＯ−ＩＮＤ）メッセージに先行することが望ましい。
【００８１】
上記の記載は多くの特殊性を含むが、これらは本発明の範囲を制限すると解釈されるべきではなく、本発明の現時点で好ましい実施形態の一部の例示を単に提供するものと解釈されるべきである。従って、本発明の範囲が、当業者に明らかになるであろうその他の実施形態を完全に包含し、それに応じて本発明の範囲が添付の特許請求の範囲以外の何ものによっても制限されることはない。当業者に知られている上記の好ましい実施形態の要素の全ての構成上、化学的及び機能的均等物は参照により本明細書に明示的に組み込まれ、本特許請求の範囲により包含されることが意図される。さらに、デバイス又は方法が本発明により解決されようとするそれぞれ及び全ての問題に対処する必要はなく、そのような問題が本特許請求の範囲により包含される必要はない。さらに、本開示における要素、コンポーネント、方法のステップは公開の用に供するものでないことが意図される。なおもさらに、方法の請求項において、方法の動作は挿入的な記法である（ａ）、（ｂ）、（ｃ）などで与えられる。これらは単に参照を容易にするために与えられ、動作がいかなる特定の順序で実行されることを表すことを意味しない。
【図１Ａ】
2011501611.tif 000003
【図１Ｂ】
2011501611.tif 000004
【図１Ｃ】
2011501611.tif 000005
【図２Ａ】
2011501611.tif 000006
【図２Ｂ】
2011501611.tif 000007
【図２Ｃ】
2011501611.tif 000008
【図２Ｄ】
2011501611.tif 000009
【図３Ａ】
2011501611.tif 000010
【図３Ｂ】
2011501611.tif 000011
【図４Ａ】
2011501611.tif 000012
【図４Ｂ】
2011501611.tif 000013
【図５Ａ】
2011501611.tif 000014
【図５Ｂ】
2011501611.tif 000015
【図６Ａ】
2011501611.tif 000016
【図６Ｂ】
2011501611.tif 000017
【図７Ａ】
2011501611.tif 000018
【図７Ｂ】
2011501611.tif 000019
【図８Ａ】
2011501611.tif 000020
【図８Ｂ】
2011501611.tif 000021
【図９Ａ】
2011501611.tif 000022
【図９Ｂ】
2011501611.tif 000023
【国際調査報告】
2011501611.tif 000024
2011501611.tif 000025
2011501611.tif 000026
2011501611.tif 000027